(57)【要約】【課題】キャビネット内の左右側板の内側に設ける上下ピッチ穴を変えずに棚板の高さ位置を自由に設定すること。【解決手段】キャビネット１０内の左右側板内側に前後一対かつ上下に複数段設けた穴に装着し、棚板９を上下任意の位置に可動設置できる棚板９の係止具で、キャビネットの穴に装着する係止具本体５と、係止具本体５に着脱自在に係合するブロック部材８を備えることにより、ブロック部材８を着脱することで、棚板９の高さ位置を自由に変更できるようにすることができ、キャビネット内の棚板の使い勝手が向上する。【選択図】図６
2005111124.tif 000002
【特許請求の範囲】
【請求項１】
キャビネット内の左右側板内側に前後一対かつ上下に複数段設けた穴に装着し、棚板を上下任意の位置に可動設置できる棚板の係止具で、キャビネットの穴に装着する係止具本体と、前記係止具本体に着脱自在に係合するブロック部材を備え、ブロック部材の着脱により、棚板の高さ位置を変更できる棚板の係止具。
【請求項２】
異なる大きさのブロック部材を複数用意し、選択できることを特徴とする請求１項に記載の棚板の係止具。
【請求項３】
ブロック部材の上に別のブロック部材を複数個に積層載置できることを特徴とする請求項１または２にに記載の棚板の係止具。
【請求項４】
係止具本体またはブロック部材に着脱自在に係合するストッパー部材を有することを特徴とする請求項１〜３のいずれか１項に記載の棚板の係止具。
【請求項５】
係止具本体は左右対称形状としたことを特徴とする請求項１〜４のいずれか１項に記載の棚板の係止具。
【請求項６】
ストッパー部材は左右対称形状としたことを特徴とする請求項１〜５のいずれか１項に記載の棚板の係止具。
【請求項７】
ブロック部材は左右対称形状としたことを特徴とする請求項１〜６のいずれか１項に記載の棚板の係止具。
【請求項８】
ストッパー部材の少なくとも一部に弾性部を備え、係止具本体またはブロック部材と弾性的に嵌合することを特徴とする請求項１〜７のいずれか１項に記載の棚板の係止具。
【請求項９】
係止具に棚板を載置した状態で、係止具が棚受穴から抜けることを防止する抜け防止手段を備えたことを特徴とする請求項１〜８のいずれか１項に記載の棚板の係止具。
【請求項１０】
内側に前後一対かつ上下に複数段の穴を設けた左右一対の側板を有するとともに請求項１〜１０のいずれか１項に記載の棚板の係止具を前記穴に装着したキャビネットであって、前後左右に係止具本体とブロック部材とストッパー部材とを装着して、棚板を保持したことを特徴とするキャビネット。
【発明の詳細な説明】
【技術分野】
【０００１】
本発明は棚板の係止具およびこの係止具を使用したキャビネットに関するものである。
【背景技術】
【０００２】
従来の棚板の係止具は、図１２に示すように、手前開放部では棚板の上下と手前への脱落を左右１対の係止具でおこない、後方閉部では棚板上下と後方を挟み込むコの字型を形成した左右１対の係止具で棚板の固定をするようにようになっていた（例えば、特許文献１参照）。
【０００３】
図１２は、特許文献１に記載された従来の棚板の係止具およびこの係止具を使用したキャビネットを示すものである。図１２に示すように、手前開放部では棚板1の上下と手前への脱落を左右１対の係止具2でおこない、後方閉部3では棚板1上下と後方を挟み込むコの字型を形成した左右１対の係止具４で棚板1の固定をするようにようになっていた。
【特許文献１】特開２００１−０４６１５８号公報（第２図）
【発明の開示】
【発明が解決しようとする課題】
【０００４】
しかしながら上記従来の棚板の係止具では、前方のものと後方のもので全く異なった形状となり、さらにそれぞれに左右対称の別形状をした係止具が必要となる。また、各々の使用者が利用できる棚板の高さ位置はキャビネット内の左右側板の内側に設けられた穴の上下ピッチに限定され、仮にピッチの間の位置で使用したくなってもそのままでは使用できず、その要望に応えるためには、上下穴ピッチを細かくしていく必要となり、コスト増しや外観の美を損なうという課題があった。
【０００５】
本発明は、前記従来の課題を解決するもので、前後左右全ての位置に同じものを使用できる棚板の係止具で、さらにキャビネット内の左右側板の内側に設ける上下ピッチ穴以外の高さ位置に棚板を設定できる係止具の提供を目的とする。
【課題を解決するための手段】
【０００６】
キャビネット内の左右側板内側に前後一対かつ上下に複数段設けた穴に装着し、棚板を上下任意の位置に可動設置できる棚板の係止具で、キャビネットの穴に装着する係止具本体と、前記係止具本体に着脱自在に係合するブロック部材を備え、ブロック部材の着脱により、棚板の高さ位置を変更できる棚板の係止具。
【０００７】
前記従来の課題を解決するために、本発明の棚板の係止具は、キャビネットの穴に装着する係止具本体と、前記係止具本体に着脱自在に係合するブロック部材を備えるものである。
【０００８】
これによって、ブロック部材の着脱により、キャビネット内の左右側板の内側に設ける上下ピッチ穴以外の高さ位置に棚板を設定できることを特徴としたものである。
【発明の効果】
【０００９】
本発明の棚板の係止具は、係止具本体にブロック部材を着脱することにより、キャビネット内の左右側板の内側に設ける上下ピッチ穴以外の高さ位置に棚板を設定することができる。
【発明を実施するための最良の形態】
【００１０】
第１の発明はキャビネット内の左右側板内側に前後一対かつ上下に複数段設けた穴に装着し、棚板を上下任意の位置に可動設置できる棚板の係止具で、キャビネットの穴に装着する係止具本体と、前記係止具本体に着脱自在に係合するブロック部材を備え、ブロック部材の着脱により、棚板の高さ位置を変更できる棚板の係止具とすることにより、係止具本体にブロック部材を着脱することで、側板の穴数を増やさなくとも、係止具本体の位置を一定にしたままで自由に棚板の高さ位置を変えることができるようになる。
【００１１】
第２の発明は、特に、第１の発明のブロック部材を、異なる大きさのものを複数用意し選択できることを特徴とすることにより、係止具本体の位置を一定にしたまま、使用したい棚板高さ位置に設定することが可能になる。
【００１２】
第３の発明は、特に、第１または第２発明の棚板のブロック部材の上に別のブロック部材を複数個に積層載置できるようにすることにより、ブロック部材の積層載置により任意の棚板高さ位置に設定可能となり、また、少ない種類のブロック部材で多くの棚板高さが設定可能になる。
【００１３】
第４の発明は、特に、第１〜３のいずれか１つの発明の係止具本体またはブロック部材に着脱自在に係合するストッパー部材を有することを特徴とすることにより、同一の係止具本体およびブロック部材を使いながら、棚板の前後上下への脱落を防ぐことが可能であり、また、ストッパー部材を使ってストッパーの必要の有無を使い分けすることが可能になる。
【００１４】
第５の発明は、特に、第1〜４のいずれか１つの発明の係止具本体は左右対称形状としたことにより、前後左右共用にできるため、係止具本体は１種類のみで全ての場所での使用が可能になるため、部品が標準化できるようになる。
【００１５】
第６の発明は、特に、第４または第５の発明のストッパー部材を左右対称形状としたことにより、前後左右共用できるため、さらに部品が標準化できるようになる。
【００１６】
第７の発明は、第１〜６のいずれか１つの発明のブロック部材を左右対称形状としたことにより、前後左右共用できるため、さらに部品が標準化できるようになる。
【００１７】
第８の発明は、特に、第４〜７のいずれか１つの発明のストッパー部材の少なくとも一部に弾性部を備え、係止具本体またはブロック部材と弾性的に嵌合することを特徴とすることにより、係止具本体またはブロック部材からのストッパー部材の着脱を容易にして、棚板の着脱を簡単にできるようにしたものである。
【００１８】
第９の発明は、特に、第１〜８のいずれか１つの発明の棚板の係止具は、棚板を載置した状態で、棚板の係止具が棚受穴から抜けることを防止する抜け防止手段を備えたことにより、使用中に棚板の係止具が抜け落ち、棚板が落下することがないので、安全性が向上する。
【００１９】
第１０の発明のキャビネットは、内側に前後一対かつ上下に複数段の棚受穴を設けた左右一対の側板を有するとともに第１〜９のいずれか１つの発明の棚板の係止具を前記棚受穴に装着したキャビネットであって、後側と前側に係止具本体とストッパー部材とブロック部材を装着して、棚板を保持したことにより、棚板の脱落がなく安全で使い勝手の良いキャビネットを提供することができ、かつ部品を共用化したシンプルな構造で安価なキャビネットが提供できるという効果がある。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における使用状態を示す側面からの断面図で、図２は使用状態の示す正面からの断面図で、図３は係止具本体を示す斜視図で、図４はストッパー部材を示す斜視図で、図５はブロック部材を示す斜視図で、図６はキャビネットに、係止具を使用し棚板を装着した例を示す斜視図を示すものである。
【００２２】
図１〜図５において、５は係止具本体で樹脂や金属等の成型材料で一体に略長方形に成型され、背面には金属製等の強度のある円柱状のピン６が突設されており、上面５ａ背部には上方に突出した抜け防止片５ｂが一体に形成され、上面５ａの略中央の位置に溝状の係合溝５ｃが形成されており、前後側面に溝状の嵌合溝５ｄが形成されている。
【００２３】
７は樹脂等の弾性を有する材料で形成された略Ｆ字形断面のストッパー部材で、上部には略水平に屈曲した棚板保持片７ａが形成され、中央部には先端部が下方に垂下した係合片７ｂが形成され、下部には係止具本体5に向いた突起を有する嵌合片７ｃが形成されている。
【００２４】
８はブロック部材で樹脂や金属等の成型材料で一体に略長方形に成型され、下面８ｅの略中央の位置に下方に突出した係合リブ８ｆが一体に形成され、上面８ａ背部には上方に突出した抜け防止片８ｂが一体に形成され、同上面８ａの略中央の位置に溝状の係合溝８ｃが形成されており、前後側面に溝状の嵌合溝８ｄが形成されている。
【００２５】
前記係合溝５ｃと係合溝８ｃは前記係合片７ｂと係合可能な寸法であり、前記嵌合溝５ｄと嵌合溝８ｄは前記嵌合片７ｃと嵌合可能な寸法であり、前記係合溝５ｃは前記係合リブ８ｆと係合可能な寸法になっている。
【００２６】
９は棚板で、１０はキャビネットで両側板内面１０ａには前記係止具本体５のピン６が挿入可能な棚受穴１０ｂが左右対称に前後に複数個配設されている。
【００２７】
以上のように構成された棚板の係止具について、以下その動作、作用を説明する。
【００２８】
まず、係止具本体５を２個（前者）とストッパー部材７を係合した係止具本体５を２個（後者）用意し、キャビネットの両側板内面１０ａに設けられた後方左右の棚受穴１０ｂに後者２個の係止具本体５のピン６を挿入して取り付け、前方左右の棚受穴１０ｂに前者２個の係止具本体５のピン６を挿入して取り付けておく。
【００２９】
係合方法は斜め上方向から係止具本体５の係合溝５ｃにストッパー部材７の係合片７ｂを挿入し、ストパー部材７の下部を係止具本体５に押しつけると、ストッパー部材７の弾性によりストパー部材が変形し、嵌合溝５ｄに嵌合片７ｃを嵌合させることができ、ストパー部材７と係止具本体５は容易に外れないように係合される。
【００３０】
棚板９の後端部を手前より後方の係止具本体５の上面５ａとストッパー部材７の棚板保持片７ａの間に差し込み、前端部を係止具本体５の上面５ａに載置し、次に前方の係止具本体５にストッパー部材７を前記と同様な方法で取り付ける。
【００３１】
さらに棚板の高さ位置を上に上げたいときは、前記の係止具本体５にストッパー部材７を取り付ける前に、必要高さにあった任意の寸法のブロック部材８を選択し、係止具本体５の上面５ａ上に取り付ける。取付方法は係止具本体５の係合溝５ｃにブロック部材８の係合リブ８ｆを内側より背面方向へ挿入して装着する。以後は前記と同様な手順で棚板を取り付ける。このとき、ブロック部材８にストッパー部材７を取り付けは前記の係止具本体５とストッパー部材７の取り付けと同様な方法で行う。
【００３２】
上記のように係止具本体１に載置した棚板９はストパー部材７により、上方および前後方向への移動を規制されるため、容易に脱落することがなく安全に使用することができる。
【００３３】
また、棚板９をブロック部材８に載置した状態において、図２に示すようにブロック部材８の抜け防止片８ｂはキャビネット１０の側板内面１０ａと棚板９の側面との間に挟まれた状態で設置されており、棚板９を取り外さない限り係止具本体５のピン６は棚受穴６ａから抜けない構造となっており、使用中に係止具が抜け落ち棚板９が落下するという危険性はなく、この点でも安全性が高い。またブロック部材８がなく、係止具本体５に直接棚板９を載置した場合でも、係止具本体５の抜け防止片５ｂが前記の抜け防止片８ｂと同様な役割を果たすため同様な効果が得られる。
【００３４】
以上のように、本実施例においては左右対称形状の係止具本体５とストパー部材６さらにブロック部材８を組み合わせて使用することにより、少ない種類の部材で前後左右全ての場所での使用が可能であり、棚板の高さ位置も自由に変えることができ、さらに棚板の脱落を防止し安全で使用勝手の良い家具等の係止具を安価に提供することができる。
【００３５】
また、本実施例においては、係止具本体とピンは別部品の構成としたが、強度等の問題がない場合は一体で成形することによりコスト削減を図ることが可能である。
【００３６】
（実施の形態２）
図７は、本発明の第２の実施の形態のブロック部材を示す斜視図で、図8は、本発明の第２の実施の形態のブロック部材を２個積層載置したときの斜視図である（省略  以下、実施の形態１の記載方法と同様とする）。
【００３７】
図７と図８において同定格寸法のブロック部材を複数個用意し、同上面８ａの略中央の位置に溝状の係合溝８ｃが下面８ｅの略中央の位置に下方に突出した係合リブ８ｆと係合可能な寸法になっている。
【００３８】
以上のように構成された棚板の係止具について、以下その動作、作用を説明する。
【００３９】
棚板の高さ位置を上に上げたいときは、前記の係止具本体１にストッパー部材７を取り付ける前に、定格寸法のブロック部材８を係止具本体５の上面５ａ上に取り付ける。取付方法は前記同様係止具本体の係合溝５ｃに係合リブ８ｆを内側より背面方向へ挿入して装着する。さらに棚板の高さ位置を上に上げたいときは、前記と同類のブロック部材８を係止具本体５への装着と同様な方法でブロック部材８の上面８ａ上に、棚板の高さ位置が必要高さになるまで、積み上げていくように取り付けて棚板の高さを設定する。以後は前記と同様な手順で棚板を取り付ける。
【００４０】
図９は、本発明の第３の実施の形態の係止具本体を示す斜視図で、図１０は、本発明の第３の実施の形態の係止具本体を示す上斜視図で、図１１は、本発明の第３の実施の形態の係止具本体を示す下斜視図である（省略  以下、実施の形態１の記載方法と同様とする）。
【００４１】
図９〜図１１において係止具本体５の上面５ａに係合凹部５ｇとブロック部材８の上面８ａに係合凹部８ｇを設け、ブロック部材８の下面８ｅに下方へ突出した係合凸部８ｈを設け、前記係合凹部５ｇと係合凹部８ｇは前記係合凸部８ｈと係合可能な寸法になっている。
【００４２】
以上のように構成された棚板の係止具について、以下その動作、作用を説明する。
【００４３】
前記係合溝５ｃにまたは係合溝８ｃに前記係合リブ８ｆを内側より挿入して係止具本体５（またはブロック部材８）にブロック部材８装着する際、最後まで挿入したときに前記係合凹部５ｇと係合凹部８ｇは前記係合凸部８ｈと係合可能な形状にしておくことで、より固い締結ができ、さらなる棚板を安全に使用することができる。
【産業上の利用可能性】
【００４４】
以上のように、本発明にかかる棚板の係止具は、棚板を載置する係止具本体と棚板の移動を規制するストッパー部材とを個別に製作して組み合わせて使用することにより、従来の係止具のように棚板の前後上下への脱落を防ぐことが可能であり、且つ係止具の本体部及びストッパー部材が前後あるいは左右共用にできるため、部品種類が係止具の本体部とそれに着脱するストッパー部材のみの２種類部品だけですみ、さらに側板の穴数を増やさなくともブロック部材を使用することで自由に棚板の高さ位置を変えることができるため、オープンスペースでも左右に保持可能であればその用途にも適用できる。
【図面の簡単な説明】
【００４５】
【図１】本発明の実施の形態１における使用状態を示す側面からの断面図
【図２】本発明の実施の形態１における使用状態の示す正面からの断面図
【図３】本発明の実施の形態１における係止具本体を示す斜視図
【図４】本発明の実施の形態１におけるストッパー部材を示す斜視図
【図５】本発明の実施の形態１におけるブロック部材を示す斜視図
【図６】本発明の実施の形態１におけるキャビネットに、係止具を使用し棚板を装着した例を示す斜視図
【図７】本発明の実施の形態２におけるブロック部材を示す斜視図
【図８】本発明の実施の形態２におけるブロック部材を２個積層載置したときの斜視図
【図９】本発明の実施の形態３における係止具本体を示す斜視図
【図１０】本発明の実施の形態３における係止具本体を示す上斜視図
【図１１】本発明の実施の形態３における係止具本体を示す下斜視図
【図１２】キャビネットに、従来の係止具を使用し棚板を装着した例を示す斜視図
【符号の説明】
【００４６】
５  係止具本体
７  ストッパー部材
８  ブロック部材
９  棚板
１０  キャビネット
【図１】
2005111124.tif 000003
【図２】
2005111124.tif 000004
【図３】
2005111124.tif 000005
【図４】
2005111124.tif 000006
【図５】
2005111124.tif 000007
【図６】
2005111124.tif 000008
【図７】
2005111124.tif 000009
【図８】
2005111124.tif 000010
【図９】
2005111124.tif 000011
【図１０】
2005111124.tif 000012
【図１１】
2005111124.tif 000013
【図１２】
2005111124.tif 000014